(57)【特許請求の範囲】
【請求項１】
音響生成用の振動板を駆動するスピーカ駆動装置において、
それぞれ中心軸を中心に配置された同軸ボイスコイルアセンブリの一部を構成する２個の管状のボイスコイルであって、端部と端部とが対向するように間隔を隔てて配置され、振動板に結合されて前記中心軸の縦方向のみに制限された弾性振動をするように駆動される同様の第１および第２のボイスコイルと、
前記第１のボイスコイルの予め定められた環状部分を横切る第１の環状の磁気ギャップを形成しているインターフェース対として構成され配置されている第１および第２の環状磁極面と、
前記第２のボイスコイルの予め定められた環状部分を横切る第２の環状の磁気ギャップを形成しているインターフェース対として構成され配置されている第３および第４の環状磁極面と、
前記第１の磁極面に導かれる第１の磁極と、前記第３の磁極面に導かれる第２の磁極とを有する永久磁石と、
前記第２の磁極面に導かれる第１の端部と、前記第４の磁極面に導かれる第２の端部とを有する磁気ヨークとを具備し、
それらは、（ａ）前記永久磁石と、（ｂ）第１の磁石側の磁極を構成している前記第１の磁極面と、（ｃ）前記第１のボイスコイルを横切る前記第１の磁気ギャップと、（ｄ）第１のヨーク側の磁極を構成している前記第２の磁極面と、（ｅ）前記ヨークと、（ｆ）第２のヨーク側の磁極を構成している前記第４の磁極面と、（ｇ）前記第２のボイスコイルを横切る第２の磁気ギャップと、（ｈ）第２の磁石側の磁極を構成している前記第３の磁極面とを直列に通過する磁束ループの磁路を構成しており、
さらに、高導電度の金属で構成された少なくとも１個の環状の短絡リングを具備し、この短絡リングは、前記磁束ループと結合するように前記ボイスコイルと同軸に配置され、短絡巻線として機能するように構成されて前記ボイスコイルが振動板を振動させるためにオーディオ周波数電流によって駆動されるときに前記スピーカの音響出力中の高調波歪を減少させるように反作用を生じさせるように、磁束ループの強度の変化に対して反対に作用し、変位に対しても反対に作用し、特に、音響出力中の偶数高調波歪を減少させるように中心線で規定された前記磁束ループの内側に位置しており、
さらに、前記磁束ループの外側にそれぞれ配置されている少なくとも４個の環状短絡リングを具備し、その第１の環状短絡リングは第１の磁石側の磁極面の外側端部に沿って前記ボイスコイルに近い位置に配置され、その第２の環状短絡リングはヨーク側の第２の磁極面の外側端部に沿って前記ボイスコイルに近い位置に配置され、その第３の環状リングは第１のヨーク側の磁極面の外側端部に沿って前記ボイスコイルに近い位置に配置され、その第４の環状リングは第２のヨーク側の磁極面の外側端部に沿って前記ボイスコイルに近い位置に配置されているスピーカ駆動装置。
【請求項２】
１以上の環状の短絡リングは前記磁石とボイスコイルとの間に配置され、実質上２個の磁極片間に延在している請求項１記載のスピーカ駆動装置。
【請求項３】
１以上の環状の短絡リングは前記ヨークとボイスコイルとの間に配置され、実質上２個のヨーク磁極片間に延在している請求項１記載のスピーカ駆動装置。
【請求項４】
環状の短絡リングの１つは前記磁石に隣接して前記磁石とボイスコイルとの間に配置され、実質上磁石側の２個の磁極片間に延在しており、
別の１つの環状の短絡リングは前記ヨークに隣接して前記ヨークとボイスコイルとの間に配置され、実質上ヨーク側の２個の磁極片間に延在している請求項１記載のスピーカ駆動装置。
【請求項５】
前記音響出力中の特に奇数高調波歪を減少させるように磁束ループの中心線を中心にほぼ対称的にそれぞれ配置されている少なくとも２個の環状短絡リングを有している請求項１記載のスピーカ駆動装置。
【請求項６】
前記環状の短絡リングは、前記４個の磁極面の対応する１つの表面層を実質的に構成している管状形態に形成されている請求項１記載のスピーカ駆動装置。
【請求項７】
前記環状の短絡リングは、前記４個の磁極面の対応する１つの中央表面領域中に埋設されている請求項６記載のスピーカ駆動装置。
【請求項８】
前記１以上の環状の短絡リングは、磁性グレードスチールで構成されて、それぞれ互いに絶縁されている積層体から構成されている請求項１記載のスピーカ駆動装置。
【請求項９】
音響生成用の振動板を駆動するスピーカ駆動装置において、
それぞれ中心軸を中心に配置された同軸ボイスコイルアセンブリの一部を構成する２個の管状のボイスコイルであって、端部と端部とが対向するように間隔を隔てて配置され、振動板に結合されて前記中心軸の縦方向のみに制限された弾性振動をするように駆動される同様の第１および第２のボイスコイルと、
前記第１のボイスコイルの予め定められた環状部分を横切る第１の環状の磁気ギャップを形成しているインターフェース対として構成され配置されている第１および第２の環状磁極面と、
前記第２のボイスコイルの予め定められた環状部分を横切る第２の環状の磁気ギャップを形成しているインターフェース対として構成され配置されている第３および第４の環状磁極面と、
前記第１の磁極面に導かれる第１の磁極と、前記第３の磁極面に導かれる第２の磁極とを有する永久磁石と、
前記第２の磁極面に導かれる第１の端部と、前記第４の磁極面に導かれる第２の端部とを有する磁気ヨークとを具備し、
それらは、（ａ）前記永久磁石と、（ｂ）第１の磁石側の磁極面を構成している前記第１の磁極面と、（ｃ）前記第１のボイスコイルを横切る前記第１の磁気ギャップと、（ｄ）第１のヨーク側の磁極面を構成している前記第２の磁極面と、（ｅ）前記ヨークと、（ｆ）第２のヨーク側の磁極面を構成している前記第４の磁極面と、（ｇ）前記第２のボイスコイルを横切る第２の磁気ギャップと、（ｈ）第２の磁石側の磁極面を構成している前記第３の磁極面とを直列に通過する磁束ループの磁路を構成しており、
さらに、高導電度の金属で構成された少なくとも８個の環状の短絡リングを具備し、これらの短絡リングは、前記磁束ループと結合するように前記ボイスコイルと同軸に配置され、短絡巻線として機能するように構成されて前記ボイスコイルが振動板を振動させるためにオーディオ周波数電流によって駆動されるときに前記スピーカの音響出力中の高調波歪を減少させるように反作用を生じさせるように、磁束ループの強度の変化に対して反対に作用し、変位に対しても反対に作用するように構成され、
前記環状の短絡リング中の内側の４個の環状の短絡リングは、中心線で規定された前記磁束ループの内側にそれぞれ配置されて音響出力中の偶数高調波歪を減少させるように構成されおり、外側の他の４個の環状の短絡リングは磁束ループの外側にそれぞれ配置されていることを特徴とするスピーカ駆動装置。
【請求項１０】
前記環状の短絡リングの第１と第２の短絡リングは、それぞれボイスコイルの長さの半分のよりも小さい幅を有するように構成されている請求項９記載のスピーカ駆動装置。
【請求項１１】
ヨークと、
第１の磁極と第２の磁極とを含む磁石であって、第１の磁極は第１の磁極片を有し、第２の磁極は第２の磁極片を有しており、第１の磁極がヨークに対して第１の磁気ギャップを形成し、第２の磁極がヨークに対して第２の磁気ギャップを形成するように配置されている磁石と、
第１の磁気ギャップ中に配置された第１のボイスコイルと、
第２の磁気ギャップ中に配置された第２のボイスコイルとを具備し、
第１のボイスコイルと第２のボイスコイルは前記磁石と前記ヨークとを通る磁束ループと交差するように構成され、
さらに、第１の磁極片、第２の磁極片，およびヨークの少なくとも１つに埋設され、前記磁束ループの外側に位置している第１の短絡リングと、
第１の磁極片、第２の磁極片，およびヨークの少なくとも１つに埋設され、前記磁束ループの外側に位置している第２の短絡リングと、
第１の磁極片、第２の磁極片，およびヨークの少なくとも１つに埋設されている第３の短絡リングと、
第１の磁極片、第２の磁極片，およびヨークの少なくとも１つに埋設されている第４の短絡リングとを具備し、
前記第３の短絡リングと前記第４の短絡リングの少なくとも１つは前記磁束ループの外側に位置しているスピーカ駆動装置。
【請求項１２】
第１の環状の短絡リングは第１の磁気ギャップに隣接する位置でヨーク中に埋設されており、第２の環状の短絡リングは第２の磁気ギャップに隣接する位置でヨーク中に埋設されている請求項１１記載のスピーカ駆動装置。
【請求項１３】
第３の環状の短絡リングと第４の環状の短絡リングの少なくとも１つは磁石中に埋設されている請求項１２記載のスピーカ駆動装置。
【請求項１４】
第１の環状の短絡リングは第１の磁極片の外側コーナーに埋設されており、第２の環状の短絡リングは第２の磁極片の外側コーナーに埋設されている請求項１１記載のスピーカ駆動装置。
【請求項１５】
第３の環状の短絡リングと第４の環状の短絡リングの少なくとも１つは第１の磁気ギャップと第２の磁気ギャップの１つに隣接する位置でヨーク中に埋設されている請求項１４記載のスピーカ駆動装置。
【請求項１６】
第３の環状の短絡リングは第１の磁気ギャップに隣接する位置でヨーク中に埋設されており、第４の環状の短絡リングは第２の磁気ギャップに隣接する位置でヨーク中に埋設されている請求項１５記載のスピーカ駆動装置。
【請求項１７】
第５の環状の短絡リングは第１と第２の磁極片の一１つに埋設されており、第６の環状の短絡リングは第１と第２の磁極片の１つに埋設されており、第５と第６の環状の短絡リングは磁束ループの内側に配置されている請求項１５記載のスピーカ駆動装置。
【請求項１８】
環状の短絡リングは、複数の磁性体と導電性シートが交互に積層されて構成されている請求項１１記載のスピーカ駆動装置。
【請求項１９】
環状の短絡リングはそれぞれ４個の磁極面の対応する１つを構成する管状形状に形成されている請求項１７記載のスピーカ駆動装置。
【請求項２０】
前記１以上の環状の短絡リングは、磁性グレードスチールで構成されて、それぞれ互いに絶縁された積層体から構成されている請求項１２記載のスピーカ駆動装置。
【請求項２１】
前記環状の短絡リング中の少なくとも２個の短絡リングは、それぞれボイスコイルの長さの半分のよりも小さい幅を有するように構成されている請求項１２記載のスピーカ駆動装置。
【発明の詳細な説明】
【０００１】
【発明の属する技術分野】
本発明は電磁トランスデューサおよびアクチュエイタの分野に関し、特に共通の軸上の対応するデュアル環状磁気エアギャップに軸的に位置されるデュアルボイスコイルを有するタイプの改良されたスペクトル駆動装置に関する。
【０００２】
【従来の技術】
通常の単一のボイスコイル駆動装置に関連するようなデュアルボイスコイルのデュアル磁気ギャップスピーカの基本的な設計問題を解決するため、本発明者はデュアルボイスコイルのデュアルギャップタイプが線形性、効率、有効なボイスコイルエクスカーション、パワー消費、熱放散、最大の音圧出力能力に関して利点を与えることを発見している。さらに、本発明者はデュアルコイルのデュアルギャップ方式のある利点が、ボイスコイル近辺の２つの磁気ギャップ区域に短絡リングを導入することによりさらに強化されることができることを発見した。
【０００３】
オカダの日本特開昭６１−１３７４９６ 号公報は、ボイスコイルの焼損を防止し、ボイスコイル電流に対して悪影響を及ぼす渦電流を阻止するためのスピーカの磁石構造の導電環状プレートを紹介している。
【０００４】
Ｇｒａｕの米国特許第５，３８１，４８３ 号明細書には、トランスデューサの誘導された電流伝送容量を増加するために高い導電性材料で被覆されている強磁性シャントリングを有する最小のインダクタンスの電気力学トランスデューサを開示している。
【０００５】
ヤマムロの米国特許第３，８３０，９８６ 号明細書は、ボイスコイルのインダクタンスを減少するための短絡リングとして動作する導電層で積層された磁性材料から形成されるエアギャップを有する電子音響コンバータ用の磁気回路が開示されている。
【０００６】
日本特公表ＷＯ ８１／０２５０１ 号明細書には、ダイナミック電気タイプの電子−機械トランスデューサ用の磁気回路を磁気回路が開示され、ここでは磁気ギャップ内の補償コイルまたは導体は磁界の妨害を阻止するために信号電流が与えられている。
【０００７】
日本国特許第１９８２０８号明細書には、電磁コンバータがを開示されており、ここでは、磁気リングはエアギャップ中に位置され、それによって磁気リングは中心および外部周辺の異なる磁極で磁化される中空ディスク永久磁石を使用することにより良好な変換効率を与えるために周囲ヨークと中心ヨークの間で軸方向に移動されることができる。
【０００８】
サトーの米国特許第３，７８３，３１１ 号明細書には音響装置で使用するための磁気装置が開示されており、ここでは、ボイスコイルギャップ中の金属部材は歪減少のために磁力線が一方の方向のみに移動することを許容する。
【０００９】
電磁スピーカ磁気回路についてのＲｏｔｓｈｔｅｉｎ のソビエト連邦特許第５８７６４５／ＳＵ１９７８０１ には磁気抵抗を減少することにより音響圧力を増加するための１つのコア磁極片にわたって位置された軟磁性材料の磁気シャントを開示している。
【００１０】
前述の特許明細書は１つのギャップと１つのボイスコイルだけを有する一般的なスピーカ駆動装置／アクチュエイタ構造に限定される。
【００１１】
デュアルボイスコイルデュアル磁気ギャップ駆動装置／アクチュエイタを開示する特許明細書はＦｒａｎｄｓｅｎの米国特許第４，６１２，５９２ 号、Ｖａｎ Ｎａｍｅｎ の第５，２３１，３３６ 号明細書、およびＫｒｉｔｔｅｒ の仏国特許第１，１８０，４５６ 号明細書を含んでいるが、これらは短絡リングの使用を開示していない。
【００１２】
バランス移動体スピーカシステムについてのカトーの米国特許第４，９１４，７０７ 号明細書には、後部スピーカのインピーダンスを正面スピーカのインピーダンスよりも高くする目的で、抵抗を後部スピーカと直列に接続する代わりに高周波数インピーダンスを減少するためにビークルのデュアルコイルデュアルギャップ正面スピーカのコイルに短絡リングを取付けることを提案している。
【００１３】
【発明が解決しようとする課題】
本発明の主な目的は、音響出力中の高調波歪を減少するデュアルボイスコイル／デュアル磁気ギャップタイプトランスデューサに改良を与えることである。
【００１４】
本発明のさらに別の目的は、特に第２高調波歪を含んでいる偶数高調波歪を減少するように前述の改良を実行することである。
【００１５】
本発明のさらに別の目的は、特に第３高調波歪を含んでいる奇数高調波歪を減少するように前述の改良を実行することである。
【００１６】
【課題を解決するための手段】
前述の目的は本発明により達成され、その利点は本発明により実現される。本発明によれば、ボイスコイルの近くの２つの磁気ギャップの付近に計画的に配置された高導電性金属の１以上の短絡リングを付加することにより、デュアルボイスコイル／デュアル磁気ギャップタイプのスピーカおよびその他のトランスデューサの特性が改善される。
【００１７】
短絡リングは定常的な一定磁界で影響を生じないが、ボイスコイルがオーディオ周波数電流でハードに駆動されるときに課される負荷の下で生じるような磁束密度または磁力線の変位における変化と反対に作用する。短絡リングの位置はその効果を決定し、即ちボイスコイルに近い位置はボイスコイルのインダクタンスを減少し、短絡リングの全てが磁束ループの中心線の内側に位置する場合には第２高調波およびさらに高次の偶数高調波歪の減少を助長し、磁束ループの中心線上の中心位置、即ち磁気ギャップの中心にあるときには第３高調波および高次の奇数高調波歪の減少を助長し、磁束ループ中心線の外側にあるがボイスコイルに近い位置では一般的に高調波歪を減少するように動作する。したがって複数のリングは偶数および奇数高調波歪の両者を最適に抑制し、ボイスコイルインダクタンスを減少するように異なった位置に配置されることができる。
【００１８】
【発明の実施の形態】
本発明の前述およびさらに別の目的、特徴、利点は添付図面を伴った以下の説明からさらに十分に理解されるであろう。
図１乃至１２は、ボイスコイルアセンブリ１０を有するデュアルギャップデュアルボイスコイルスピーカ駆動装置の半分が断面で示されている基本的な機能表示であり、ボイスコイルアセンブリ１０は、磁石ＭのＮ極の第１のスチール磁極片Ｎと磁石ＭのＳ極の第２のスチール磁極片Ｓとの間に配置された永久磁石Ｍと、ヨーク１２との間に形成される１対の磁気エアギャップ中に懸架されているボイスコイル１０Ａおよび１０Ｂを支持しており、ヨーク１２は磁性材料からなり、磁石ＭのＮとＳの連結した磁極片をミラーする１対の磁極片を限定するものと考えることができ、したがって２つの磁気ギャップを形成する。
【００１９】
前述の構造の磁気システムは破線、即ち磁束ループ中心線１４で示されている通路に磁束ループを設定し、これは典型的に各磁気ギャップ内および各ボイスコイル１０Ａおよび１０Ｂ内の中心に位置している。
【００２０】
ボイスコイルアセンブリ１０はよく知られたばね懸架振動板構造（図示せず）により抑制され、それによって、これは軸方向で移動し、典型的には、電子磁気機構でよく知られた右手の法則にしたがって、スピーカの通常方法で、コイル１０Ａ、１０Ｂに与えられたＡＣ（交流）電流に応答して一般的なスピーカコーン振動板（図示せず）を駆動し、２つのコイルはしたがってフェーズ接続される。
【００２１】
図１乃至１２で示されている半分の断面図は、相互に逆である以下の２つの基本構造のいずれかを有することができる同軸スピーカモータ構造を表している。  （１）環状ボイスコイル構造１０の内部に磁石Ｍを有する中心線ＣＬ１に関して同軸であり、それによって磁極片ＮとＳを有する磁石Ｍは円筒形形状であり、ヨーク１２はボイスコイルアセンブリ１０を包囲する管状形状である。
（２）ボイスコイルアセンブリ１０の内部に円筒形ヨーク１２を有する中心線ＣＬ２に関して同軸であり、磁石Ｍと磁極片ＮとＳは環状形状であり、ボイスコイルアセンブリ１０を包囲している。
【００２２】
スピーカについての共通の固有の欠点は、ボイスコイル領域の磁束がボイスコイルの駆動電流に反応してパターン変形または変調を受けることであり、これは音響出力を歪ませ、コイル巻線のインダクタンスを増加し、周波数応答特性を変更する。
【００２３】
関連する従来技術について前述の説明で示したように、通常の単一のコイル駆動装置の磁気エアギャップ付近に銅のような高導電度の金属の短絡／シャントリングを導入することは、ボイスコイル電流によるこのような変調からの擾乱に対して磁束を安定するように作用することによって利点を与えることができることが発見されている。このような短絡リングはこれが一定であり静止している状態である限り磁束パターンに影響を与えないが、リングはボイスコイルの駆動電流により生じるような磁束パターンの変化と反対の内部の電流の流れに反応し、したがって、音響出力中の歪を減少する。またボイスコイルの近くに位置される短絡リングはボイスコイルのインダクタンスを減少させる傾向がある。
【００２４】
本発明者は、デュアルギャップデュアルコイルトランスデューサ駆動装置の改良に関する研究において、特に歪の減少に関してこのような短絡リングの主要な位置および構造を識別し、第２および／または第３の高調波歪を選択的に減少させるためにこのような位置および構造を開発した。
【００２５】
図１乃至３は、磁束ループの中心線１４により限定される磁束ループ内に位置され、それ故本発明にしたがって特に第２高調波歪を含んでいる偶数高調波歪を減少する方法で動作する管状形状の短絡リングの位置を示している。
【００２６】
図１では、管状短絡リング１６Ａは永久磁石Ｍに隣接して位置され、基本的にボイスコイルアセンブリ１０に隣接する位置で２つの磁極片ＮとＳとの間に延在し、全体的に中心線１４により限定される磁束ループ内である。図２では管状短絡リング１６Ｂはヨーク１２の凹部領域に埋設され、基本的にボイスコイルアセンブリ１０に隣接する位置で２つのヨーク磁極片間に延在し、全体的に中心線１４により限定される磁束ループ内である。図３では、２つのリングは図１のリング１６Ａと図２のリング１６Ｂのように駆動装置中に設けられ、両リングは中心線１４により限定されている磁束ループ内に位置されているので、偶数高調波歪の抑制は図１または図２よりも大きい。
【００２７】
図４および５は、アセンブリ１０のボイスコイルの近くに位置されるエッジを有するディスクとして、環状短絡リング１６Ｄと１６Ｅの位置を示しており、これは磁束ループの中心線１４の外部に位置され、本発明にしたがって高調波歪を減少し、ボイスコイルインダクタンスを減少するように動作する。
【００２８】
図４では、第１の対の短絡リング１６Ｃはそれぞれ磁極片ＮとＳの外側表面に位置され、第２の対の短絡リング１６Ｄはヨーク１２の各端部に位置され、全てアセンブリ１０のボイスコイルに近接するエッジを有する。短絡リング１６Ｃと１６Ｄは環状ディスクの形状、即ち平坦なウォッシャであるが、形状に応じて、即ちＣＬ１またはＣＬ２のいずれかが中心軸にあるか否かの構造に基づいて、軸の中心にある１対の短絡リングは中心穴を有する必要なく、したがって単なる円形ディスクとして成形される。
【００２９】
図５では、２つの短絡リング１６Ｅは、アセンブリ１０のボイスコイルに近接してヨーク１２の外部コーナーに固定されているが、中心線１４により限定されている磁束ループの外側にある。
【００３０】
図６および７は、中心線１４により限定されている磁束ループの内部と磁束ループ外との両者のボイスコイル近くの短絡リング位置を有する構造を示しており、したがって主として第２高調波と高次の偶数高調波を抑制し、ボイスコイルインダクタンスを減少するように動作する。
【００３１】
図６では、２つの短絡リング１６Ｆ’ が磁束ループ内で各磁極片ＮとＳの内部コーナーに位置されており、主として偶数高調波で動作し、２つのリング１６Ｆは磁極片ＮとＳの外部コーナーに位置され、２つのリング１６Ｅは図５のようにヨークの外部コーナーに位置され、磁束ループの外側に位置されるがアセンブリ１０のボイスコイルに近接するこれらの４つのリングはしたがって高調波歪を減少し、ボイスコイルのインダクタンスを減少させるように動作する。
【００３２】
図７では、全部で８個のリング、即ち示されているように各磁極片ＮとＳのそれぞれに埋設された１対の短絡リング１６Ｇおよび１６Ｇ’ と、ヨーク１２の対応する位置に埋設された２対の対応する短絡リング１６Ｈおよび１６Ｈ’ が配備され、したがって、４つのリングが磁束ループ内であり、その他の４つのリングは磁束ループの外部にある。
【００３３】
図８乃至１０は磁束ループ中心線１４の実質上中心に位置された短絡リングを示しており、即ち、これは奇数高調波、特に第３高調波を抑制するための最適位置である。
【００３４】
図８では、短絡リング１６Ｊと１６Ｋは中心位置に埋設され、２つの磁気ギャップを限定する全ての４つの磁極片のそれぞれの短絡リングは磁束ループ中心線１４の中心に存在する。
【００３５】
図９では、Ｎ極とＳ極の端面全体は積層された短絡リング構造１６Ｌで構成され、対応する積層された短絡リング構造１６Ｍは示されているようにボイスコイルに隣接してヨーク１２の上部磁極片区域に埋設されている。これらの積層された短絡リング構造１６Ｌと１６Ｈは磁気グレードのスチール積層体が挟み込まれた導電性金属（典型的に銅またはアルミニウム）のシートからなる。この方法は音響歪、第２および第３高調波の両者およびさらに高次の高調波を減少し、ボイスコイルインダクタンスを減少するための理想的な状態へ最も近い可能な方法を表し、積層された短絡リングは複数の個々の短絡リングの方法で動作するので、幾つかは磁束ループ内に位置し、幾つかはその上の中心に置かれ、あるものは磁束ループ外に位置されるが、全てはボイスコイルに近接して位置される。このタイプの短絡リングは高いオーディオ周波数で特に有効である。
【００３６】
図１０は基本的に図９のものの積層しない変形形態を示しており、磁極片ＮとＳの下面には管状形状の短絡リング１６Ｐが取付けられ、ヨーク１２にはリング１６Ｐよりもやや長い管状形状の埋設された短絡リング１６Ｑが取付けられ、したがって外部コーナーからアセンブリ１０のボイスコイルを越えて内方に延在し、ボイスコイルインダクタンスを減少させ、高調波歪を最適に減少するように動作する。
【００３７】
図１１では、単一の管状短絡リング１６Ｒが磁石アセンブリの全長にわたって延在し、ボイスコイルの近くの磁極片ＮとＳの正面に付加された表面層を含んでおり、したがってボイスコイルインダクタンスを減少し、高調波歪を減少するように動作する。
【００３８】
図１２は基本的に、ヨーク１２の上部表面に沿って全長に延在する表面層として配備された管状短絡リング１６Ｓを有する図１１の変形形態を示しており、ヨーク１２はボイスコイルの近くにその磁極領域を含んでおり、したがってさらにボイスコイルインダクタンスの減少を与える。
【００３９】
図１０乃至１２の代わりの実行可能な組合わせは、図１０のリング１６Ｐの代わりに配備されたリング１６Ｒ（図１１）と、図１０のリング１６Ｑの代わりに配備されたリング１６Ｓ（図１２）と、図１１のヨーク１２に配備されたリング１６Ｓ（図１２）を含んでいる。
【００４０】
種々の短絡リングパターンでは、高調波歪の抑制は通常、リングがさらに大きくおよび／または多数であるときさらに有効になる。
【００４１】
短絡リングはオーディオ周波数範囲２００乃至２，０００ヘルツの高調波歪を減少するのに最も効果的である。
【００４２】
歪減少における典型的な結果は以下のように測定された。
0003574403.tif 000002
本発明はその基本的特性から逸脱せずにその他の特別な形態で実施および実行されてもよい。それ故、本発明の実施形態は全ての面で例示として考慮され、技術的範囲を限定するものではない。本発明の技術的範囲は前述の説明ではなく特許請求の範囲により示されている。それ故、特許請求の範囲内の全ての変形、代用、変更がここに含まれることを意図される。
【図面の簡単な説明】
【図１】偶数高調波歪を減少するための磁束ループ内に位置する短絡リングの図。
【図２】偶数高調波歪を減少するための磁束ループ内に位置する短絡リングの図。
【図３】偶数高調波歪を減少するための磁束ループ内に位置する短絡リングの図。
【図４】磁束ループ外に位置する短絡リングの図。
【図５】磁束ループ外に位置する短絡リングの図。
【図６】磁束ループ内に位置する少なくとも２つの短絡リングの図。
【図７】磁束ループ外に位置する少なくとも２つの短絡リングの図。
【図８】奇数高調波を最良に抑制するための磁束ループの中心に置かれた短絡リングの図。
【図９】奇数高調波を最良に抑制するための磁束ループの中心に置かれた短絡リングの図。
【図１０】奇数高調波を最良に抑制するための磁束ループの中心に置かれた短絡リングの図。
【図１１】両者のギャップを通って延在する管状形態の短絡リングの図。
【図１２】両者のギャップを通って延在する管状形態の短絡リングの図。
【図１】
0003574403.tif 000003
【図２】
0003574403.tif 000004
【図３】
0003574403.tif 000005
【図４】
0003574403.tif 000006
【図５】
0003574403.tif 000007
【図６】
0003574403.tif 000008
【図７】
0003574403.tif 000009
【図８】
0003574403.tif 000010
【図９】
0003574403.tif 000011
【図１０】
0003574403.tif 000012
【図１１】
0003574403.tif 000013
【図１２】
0003574403.tif 000014